【手続補正書】
【提出日】平成17年3月31日(2005.3.31)
【手続補正１】
【補正対象書類名】明細書
【補正対象項目名】特許請求の範囲
【補正方法】変更
【補正の内容】
【特許請求の範囲】
【請求項１】
壁裏に埋設する水栓本体に、水を供給する配管が接続される給水口と、水が吐水される吐水口と、該吐水口からの吐水量を調整するバルブとを備えた壁埋め込み水栓において、前記バルブは前記水栓本体の通水路に介在するバルブ装着開口部に取付けられ、前記水栓本体は壁表側からカバーにより覆われるとともに、前記バルブ装着開口部の端部は、前記カバーに設けられた開口端部から壁表側に突設してなることを特徴とする壁埋め込み水栓。
【請求項２】
前記バルブは、前記水栓本体を壁裏に埋設した状態で、前記バルブ装着開口部に脱着自在としたことを特徴とする請求項１に記載の壁埋め込み水栓。
【請求項３】
前記水栓本体の前記バルブ装着開口部は、壁面に対して略垂直に開口していることを特徴とする請求項１又は２に記載の壁埋め込み水栓。
【請求項４】
前記バルブは、バルブ挿入外筒部と、該バルブ挿入外筒部の一端側から一部を突出させたスピンドルと、該スピンドルと連動して前記バルブ挿入外筒部の内周面で回動するシリンダーと、前記バルブ挿入外筒部に設けられた弁座パッキンとから構成され、前記スピンドルを回転させることで、前記シリンダーに設けたシリンダー開口部を前記バルブ挿入外筒部に設けたバルブ開口部に重ね合わせて通水するか、もしくは、前記シリンダー開口部を前記バルブ開口部からずらして、前記シリンダーの側面と前記バルブ装着開口部の内周面との間を前記弁座パッキンにてシールして止水するかを選択可能としたことを特徴とする請求項１乃至３の何れかに記載の壁埋め込み水栓。
【請求項５】
前記スピンドルと前記バルブ挿入外筒部をシールする摺動Ｏリングと、前記バルブを前記水栓本体に固定する固定部材を備え、該固定部材に設けた開口部を前記スピンドルが貫通するとともに、前記固定部材の開口部が前記カバーの開口端部より壁表側に位置することを特徴とする請求項４に記載の壁埋め込み水栓。
【請求項６】
前記バルブ挿入外筒部と前記水栓本体とをシールする固定Ｏリングを備え、前記バルブ挿入外筒部を、前記固定部材と前記水栓本体とで挟み込んで固定するとともに、前記固定部材が前記カバーの開口端部よりも壁表側に位置することを特徴とする請求項５に記載の壁埋め込み水栓。
【請求項７】
前記固定部材を囲む筒状ナットを備え、該筒状ナットは前記カバーを挟み込んで前記水栓本体に螺合することを特徴とする請求項５又は６に記載の壁埋め込み水栓。
【請求項８】
前記カバーの裏面と前記水栓本体との間にパッキンが設けられたことを特徴とする請求項１乃至７の何れかに記載の壁埋め込み水栓。
【請求項９】
壁裏に埋設する水栓本体に、水を供給する配管が接続される給水口と、水が吐水される吐水口と、該吐水口からの吐水量を調整するバルブとを備えた壁埋め込み水栓において、前記水栓本体と、前記バルブのシート部とが別体に形成され、前記水栓本体を壁裏に埋設した状態で前記水栓本体から前記バルブと前記シート部とを外せるように構成したことを特徴とする壁埋め込み水栓。
【手続補正２】
【補正対象書類名】明細書
【補正対象項目名】０００９
【補正方法】変更
【補正の内容】
【０００９】
【課題を解決するための手段】
請求項１記載の壁埋め込み水栓においては、壁裏に埋設する水栓本体に、水を供給する配管が接続される給水口と、水が吐水される吐水口と、該吐水口からの吐水量を調整するバルブとを備えた壁埋め込み水栓において、前記バルブは前記水栓本体の通水路に介在するバルブ装着開口部に取付けられ、前記水栓本体は壁表側からカバーにより覆われるとともに、前記バルブ装着開口部の端部は、前記カバーに設けられた開口端部から壁表側に突設してなることを特徴とする壁埋め込み水栓とした。
【手続補正３】
【補正対象書類名】明細書
【補正対象項目名】００１０
【補正方法】変更
【補正の内容】
【００１０】
これにより、万が一バルブと、バルブを装着する水栓本体のバルブ装着開口部との隙間から漏水が生じたとしても、カバーの壁表側に漏水が流れ出すため、使用者に漏水が生じていることを早期に認識させることができる。
そのため、従来の壁埋め込み水栓のように、漏水に気が付いたときには、建築に大きな被害が生じているおそれが低減できるのである。
【手続補正４】
【補正対象書類名】明細書
【補正対象項目名】００１１
【補正方法】変更
【補正の内容】
【００１１】
請求項２記載の壁埋め込み水栓においては、前記バルブは、前記水栓本体を壁裏に埋設した状態で、前記バルブ装着開口部に脱着自在としたことを特徴とする壁埋め込み水栓とした。
これにより、施工性を向上させることができ、工事に掛かる時間・費用を低減することができる。
【手続補正５】
【補正対象書類名】明細書
【補正対象項目名】００１２
【補正方法】変更
【補正の内容】
【００１２】
請求項３記載の壁埋め込み水栓においては、前記水栓本体の前記バルブ装着開口部は、壁面に対して略垂直に開口していることを特徴とする壁埋め込み水栓とした。
これによりバルブの交換作業がより行いやすくなる。
【手続補正６】
【補正対象書類名】明細書
【補正対象項目名】００１３
【補正方法】変更
【補正の内容】
【００１３】
請求項４記載の壁埋め込み水栓においては、前記バルブは、バルブ挿入外筒部と、該バルブ挿入外筒部の一端側から一部を突出させたスピンドルと、該スピンドルと連動して前記バルブ挿入外筒部の内周面で回動するシリンダーと、前記バルブ挿入外筒部に設けられた弁座パッキンとから構成され、前記スピンドルを回転させることで、前記シリンダーに設けたシリンダー開口部を前記バルブ挿入外筒部に設けたバルブ開口部に重ね合わせて通水するか、もしくは、前記シリンダー開口部を前記バルブ開口部からずらして、前記シリンダーの側面と前記バルブ装着開口部の内周面との間を前記弁座パッキンにてシールして止水するかを選択可能としたことを特徴とする壁埋め込み水栓とした。
従来の壁埋め込み水栓では、シート部が水栓本体に一体に形成されているため、万が一シート部が腐食した場合、水栓本体を交換しなければならない。しかしながら、壁埋め込み水栓の場合、壁を壊さない限り、水栓本体は水を供給する配管から取り外すことが困難である。つまり、非常に大掛かりな工事となってしまうのである。
一方、本発明を構成するバルブを使用することで、従来のように水栓本体自体にはシート部を形成する必要がないので、水栓本体の腐食に対する寿命を延ばすことができ、長期間壁裏に水栓本体を埋設して使用することが可能となる。
【手続補正７】
【補正対象書類名】明細書
【補正対象項目名】００１４
【補正方法】変更
【補正の内容】
【００１４】
請求項５記載の壁埋め込み水栓においては、前記スピンドルと前記バルブ挿入外筒部をシールする摺動Ｏリングと、前記バルブを前記水栓本体に固定する固定部材を備え、該固定部材に設けた開口部を前記スピンドルが貫通するとともに、前記固定部材の開口部が前記カバーの開口端部より壁表側に位置することを特徴とする壁埋め込み水栓とした。
これにより、劣化摩耗が発生しやすい摺動Ｏリングからの万一の漏水を壁表側に導くことができ、漏水を使用者に早期に発見させることができる。
【手続補正８】
【補正対象書類名】明細書
【補正対象項目名】００１５
【補正方法】変更
【補正の内容】
【００１５】
請求項６記載の壁埋め込み水栓においては、前記バルブ挿入外筒部と前記水栓本体とをシールする固定Ｏリングを備え、前記バルブ挿入外筒部を、前記固定部材と前記水栓本体とで挟み込んで固定するとともに、前記固定部材が前記カバーの開口端部よりも壁表側に位置することを特徴とする壁埋め込み水栓とした。
これにより、摺動Ｏリングの劣化摩耗ほどではないものの、劣化が懸念される固定Ｏリングからの万一の漏水を壁表側に導くことができ、漏水を使用者に早期に発見させることができる。
【手続補正９】
【補正対象書類名】明細書
【補正対象項目名】００１６
【補正方法】変更
【補正の内容】
【００１６】
請求項７記載の壁埋め込み水栓においては、前記固定部材を囲む筒状ナットを備え、該筒状ナットは前記カバーを挟み込んで前記水栓本体に螺合することを特徴とする壁埋め込み水栓とした。
これにより、壁表側に導かれた摺動Ｏリング及び固定Ｏリングからの漏水が壁裏側に流れ込むことを防止することができ、安全性をより高めることが可能となる。
【手続補正１０】
【補正対象書類名】明細書
【補正対象項目名】００１７
【補正方法】変更
【補正の内容】
【００１７】
請求項８記載の壁埋め込み水栓においては、前記カバーの裏面と前記水栓本体との間にパッキンが設けられたことを特徴とする壁埋め込み水栓とした。
これにより、さらに壁裏側への漏水の流れ込みを確実に防止でき、より安全性を高めることが可能となる。
【手続補正１１】
【補正対象書類名】明細書
【補正対象項目名】００１８
【補正方法】変更
【補正の内容】
【００１８】
請求項９記載の壁埋め込み水栓においては、壁裏に埋設する水栓本体に、水を供給する配管が接続される給水口と、水が吐水される吐水口と、該吐水口からの吐水量を調整するバルブとを備えた壁埋め込み水栓において、前記水栓本体と、前記バルブのシート部とが別体に形成され、前記水栓本体を壁裏に埋設した状態で前記水栓本体から前記バルブと前記シート部とを外せるように構成したことを特徴とする壁埋め込み水栓とした。
本発明の壁埋め込み水栓によって、万が一腐食されやすいシート部が破損したとしても、水栓本体を壁裏に埋設したままの状態でシート部も含めてバルブを交換できるので、施工性を向上させることができ、工事に掛かる時間・費用を低減することができるのである。
また、水栓本体まで交換する必要がない。したがって、水栓本体自体は、配管材をリフォームするときまでそのまま使用することができるのである。